(57)【要約】  メディア伝送又はメディア記憶の目的のためにビデオデータに走査フォーマット情報を付加する方法及び装置を提供し、従ってビデオデータに対して効果的な圧縮、解凍及び表示を行う。該情報は記述子の形態で、又はデータ構造としてメディア伝送フォーマットヘッダ又はメディア記憶フォーマットヘッダに付加される。【選択図】図１
2015536590.tif 000002
【特許請求の範囲】
【請求項１】
ビデオデータにビデオ走査フォーマット情報を付加することと、
前記付加の後、前記ビデオデータを記憶するか、又はネットワークで前記ビデオデータを伝送することとを含むビデオデータ処理方法。
【請求項２】
ビデオソースフォーマット指示、ビデオ圧縮、ビデオ解凍及びビデオ表示のうちの１つ又は複数の操作において、付加されたビデオ走査フォーマット情報を使用することを更に含む請求項１に記載の方法。
【請求項３】
前記ビデオ走査フォーマット情報は、インターレース方式又はプログレッシブ方式の走査フォーマットの指示を含む請求項１に記載の方法。
【請求項４】
前記ビデオ走査フォーマット情報は、前記ビデオデータがフィールド走査フォーマットに対応するか、又はフレーム走査フォーマットに対応するかの指示を含む請求項１に記載の方法。
【請求項５】
前記ビデオ走査フォーマット情報は、前記ビデオデータが複製された画像に対応するかの指示を含む請求項１に記載の方法。
【請求項６】
前記ビデオ走査フォーマット情報は、１つ又は複数のフラグで示される請求項１に記載の方法。
【請求項７】
前記ビデオ走査フォーマット情報は、前記ビデオデータに物理的に付加される請求項１に記載の方法。
【請求項８】
前記ビデオ走査フォーマット情報は、前記ビデオデータに仮想的に付加される請求項１に記載の方法。
【請求項９】
前記ビデオデータにビデオ走査フォーマット情報を付加するステップは、
前記ビデオ走査フォーマット情報を分離ファイル又はデータ構造に含ませることと、
前記ビデオ走査フォーマット情報を前記ビデオデータに関連付けることとを含む請求項８に記載の方法。
【請求項１０】
前記ビデオ走査フォーマット情報は、１つ又は複数のポインタで前記ビデオデータに関連付けられる請求項９に記載の方法。
【請求項１１】
前記ビデオデータにビデオ走査フォーマット情報を付加するステップは、
前記ビデオデータが記憶される場合、前記ビデオ走査フォーマット情報をデータ構造に含ませること、又は
前記ビデオデータがネットワークで伝送される場合、前記ビデオ走査フォーマット情報をデータヘッダ又は記述子に含ませることを含む請求項１に記載の方法。
【請求項１２】
前記ビデオデータにビデオ走査フォーマット情報を付加するステップは、前記ビデオデータの圧縮の前又は後に実行される請求項１に記載の方法。
【請求項１３】
前記ビデオデータにビデオ走査フォーマット情報を付加するように設定される付加モジュールと、
前記付加の後、前記ビデオデータを記憶するか、又はネットワークで前記ビデオデータを伝送するように設定されるメモリモジュールとを備えるビデオデータ処理装置。
【請求項１４】
前記付加モジュールは、１つ又は複数のフラグで前記ビデオ走査フォーマット情報を示すように更に設定される請求項１３に記載の装置。
【請求項１５】
前記付加モジュールは、前記ビデオデータに前記ビデオ走査フォーマット情報を物理的に付加するように設定される請求項１３に記載の装置。
【請求項１６】
前記付加モジュールは、前記ビデオデータに前記ビデオ走査フォーマット情報を仮想的に付加するように設定される請求項１３に記載の装置。
【請求項１７】
前記付加モジュールは、
前記ビデオ走査フォーマット情報を分離ファイル又はデータ構造に含ませる、及び
前記ビデオ走査フォーマット情報を前記ビデオデータに関連付けるという方式で、前記ビデオフォーマット情報を付加するように設定される請求項１６に記載の装置。
【請求項１８】
前記付加モジュールは、１つ又は複数のポインタで前記ビデオ走査フォーマット情報を前記ビデオデータに関連付けるように設定される請求項１７に記載の装置。
【請求項１９】
前記付加モジュールは、
前記ビデオデータが記憶される場合、前記ビデオ走査フォーマット情報をデータ構造に含ませる、又は
前記ビデオデータがネットワークで伝送される場合、前記ビデオ走査フォーマット情報をデータヘッダ又は記述子に含ませるという方式で、ビデオフォーマット情報を付加するように設定される請求項１３に記載の装置。
【請求項２０】
ビデオデータ生成装置と、
請求項１３〜１９のいずれか一つに記載の装置とを備えるビデオデータ処理システム。
【発明の詳細な説明】
【技術分野】
【０００１】
本発明はビデオコーディングに関し、具体的には、メディア伝送及びメディア記憶を目的としたビデオデータのビデオ走査フォーマット情報のカプセル化に関する。
【背景技術】
【０００２】
現在、ビデオアプリケーションは急速に発展しつつあり、且つより高い解像度、より高いフレームレート及びより高い圧縮率の発展傾向のため、従来の主流であるビデオ圧縮規格Ｈ．２６４／ＭＰＥＧ−４アドバンスドビデオコーディング（ＡＶＣ）の限界が顕著になる。
【０００３】
このような状況に鑑みて、ＩＴＵ−Ｔビデオ符号化専門家グループ（ＶＣＥＧ）及びＩＳＯ／ＩＥＣ動画像符号化専門家グループ（ＭＰＥＧ）は、次時代のビデオ圧縮規格、すなわち、高効率ビデオコーディング（ＨＥＶＣ）規格を開発するため、映像符号化共同研究部会（ＪＣＴ−ＶＣ）として知られるパートナーシップで協力して作業をしている。
【０００４】
ＨＥＶＣの設計は、最新の最先端技術及びアルゴリズムの進捗を採用して、ビデオコンテンツのより幅広い使用、ブロードバンドネットワークへのビデオの移行、モバイルデバイスの多様化、カメラ及びディスプレイのますます高い解像度、及びますます増加する高ビデオ品質のための、絶え間ない要求を解決する。ＪＣＴ−ＶＣのプロジェクトの主な目標は、ＡＶＣにより要求されたビットレートに対して実質的に節約して（たとえば、半分を減少させる）、同じレベルのビデオ品質を達成することである。この段階では、ＨＥＶＣの能力の初期測定は、その性能が該プロジェクトに設定された目標を満たす又は超えることを示している。
【０００５】
これまでのところ、ＨＥＶＣテキスト仕様ドラフト７は発行されている。しかしながら、ＨＥＶＣ規格のコンテンツは、まだ修正、充実されている。ＨＥＶＣ規格の初版は、２０１３年１月に完成されると予想され、その時、調整テキストは、ＩＴＵ−Ｔ及びＩＳＯ／ＩＥＣにより公表される。
【０００６】
現在、ビデオデータをより効果的に圧縮、解凍及び表示することができる技術が必要である。
【発明の概要】
【発明が解決しようとする課題】
【０００７】
本発明の目的は、効果的にビデオデータを圧縮、解凍及び表示することができるビデオデータ処理方法、装置及びシステムを提供することである。
【課題を解決するための手段】
【０００８】
該目的を達成するために、本発明は、ビデオデータ処理方法を提供し、  
ビデオデータにビデオ走査フォーマット情報を付加すること、及び
前記付加の後、前記ビデオデータを記憶するか、又はネットワークで前記ビデオデータを伝送することを含む。
【０００９】
好ましくは、該方法は、
ビデオソースフォーマット指示、ビデオ圧縮、ビデオ解凍及びビデオ表示のうちの１つ又は複数の操作において、付加されたビデオ走査フォーマット情報を使用することを更に含む。
【００１０】
好ましくは、ビデオ走査フォーマット情報は、インターレース方式又はプログレッシブ方式の走査フォーマットの指示を含む。
【００１１】
好ましくは、ビデオ走査フォーマット情報は、ビデオデータがフィールド走査フォーマットに対応するか、又はフレーム走査フォーマットに対応するかの指示を含む。
【００１２】
好ましくは、ビデオ走査フォーマット情報は、ビデオデータが複製された画像に対応するかの指示を含む。
【００１３】
好ましくは、ビデオ走査フォーマット情報は、１つ又は複数のフラグで示される。
【００１４】
好ましくは、ビデオ走査フォーマット情報は、ビデオデータに物理的に付加される。
【００１５】
好ましくは、ビデオ走査フォーマット情報は、ビデオデータに仮想的に付加される。
【００１６】
好ましくは、ビデオデータにビデオ走査フォーマット情報を付加するステップは、
ビデオ走査フォーマット情報を分離ファイル又はデータ構造に含ませること、及び
ビデオ走査フォーマット情報をビデオデータに関連付けることを含む。
【００１７】
好ましくは、ビデオ走査フォーマット情報は、１つ又は複数のポインタでビデオデータに関連付けられる。
【００１８】
好ましくは、ビデオデータにビデオ走査フォーマット情報を付加するステップは、
ビデオデータを記憶する場合、ビデオ走査フォーマット情報をデータ構造に含ませること、又は
ビデオデータをネットワークで伝送する場合、ビデオ走査フォーマット情報を、データヘッダ又は記述子に含ませることを含む。
【００１９】
好ましくは、ビデオデータにビデオ走査フォーマット情報を付加するステップは、ビデオデータの圧縮の前又は後に実行される。
【００２０】
上記目的を達成するために、本発明はビデオデータ処理装置を更に提供しており、  
ビデオデータにビデオ走査フォーマット情報を付加するように設定される付加モジュール、及び
前記付加の後、前記ビデオデータを記憶するか、又はネットワークで前記ビデオデータを伝送するように設定されるメモリモジュール、を備える。
【００２１】
好ましくは、付加モジュールは、１つ又は複数のフラグでビデオ走査フォーマット情報を示すように更に設定される。
【００２２】
好ましくは、付加モジュールは、ビデオ走査フォーマット情報をビデオデータに物理的に付加するように設定される。
【００２３】
好ましくは、付加モジュールは、ビデオ走査フォーマット情報をビデオデータに仮想的に付加するように設定される。
【００２４】
好ましくは、付加モジュールは、
ビデオ走査フォーマットを分離ファイル又はデータ構造に含ませる、及び
ビデオ走査フォーマット情報をビデオデータに関連付けるという方式で、ビデオフォーマット情報を付加するように設定される。
【００２５】
好ましくは、付加モジュールは、１つ又は複数のポインタでビデオ走査フォーマット情報をビデオデータに関連付けるように設定される。
【００２６】
好ましくは、付加モジュールは、
ビデオデータを記憶する場合、ビデオ走査フォーマット情報をデータ構造に含ませる、又は
ビデオデータをネットワークで伝送する場合、ビデオ走査フォーマット情報をデータヘッダ又は記述子に含ませるという方式で、ビデオフォーマット情報を付加する。
【００２７】
上記目的を達成するために、本発明はビデオデータ処理システムを更に提供し、  
ビデオデータ生成装置、及び
上記に定義されたビデオデータ処理装置を備える。
【発明の効果】
【００２８】
本発明によるメディア伝送又はメディア記憶の目的のための、ビデオデータにビデオ走査フォーマット情報を付加する方法、装置及びシステムは、ビデオデータに対して効果的な圧縮、解凍及び表示を行うことができる。
【図面の簡単な説明】
【００２９】
【図１】図１は、本発明の実施例による方法のフローチャートを示す図である。
【図２】図２は、本発明の別の実施例によるビデオデータ処理装置の構造を示す図である。
【図３】図３は、本発明の別の実施例によるシステムを示す図である。
【発明を実施するための形態】
【００３０】
ビデオデータはインターレース方式又はプログレッシブ方式のどちらの走査フォーマットに適用でき、且つフォーマット情報は圧縮システムの効率の向上に寄与する。
【００３１】
図１は本発明の実施例によるビデオデータにビデオ走査フォーマット情報を付加するための方法のフローチャートを示す。該方法は、次のステップを含む。
ステップ１０：ビデオデータを生成する。
ステップ２０：生成されたビデオデータにビデオ走査フォーマット情報を付加する。付加操作はビデオデータの圧縮の前又は後に実行することができる。
ステップ３０：ビデオデータを記憶するか、又はネットワークでビデオデータを伝送する。
【００３２】
ＩＳＯ／ＭＰＥＧのＨＥＶＣビデオ圧縮規格において、走査情報は使用可能である。本発明は、走査フォーマット情報の付加に関係し、該走査フォーマット情報はその後ビデオ圧縮サービスにおける以下の４つの段階に適用できる。
１．ビデオソースフォーマット指示、
すなわち、ビデオソースが、プログレッシブ方式の素材に由来するものか、インターレース方式の素材に由来するものか（すなわち、ビデオはどのように生成されたか）。
２．ビデオ圧縮、
圧縮されたビデオデータの走査フォーマットに関連する情報を利用して効果的なビデオ圧縮を得ることができる。
３．ビデオ解凍、
走査フォーマットの情報は効果的なビデオ圧縮に用いられると、逆過程（すなわち、解凍）は必ず走査過程の情報を有する。
４．ビデオのプレゼンテーション又は表示、
ビデオフォーマットのタイプ情報はビデオプレゼンテーションの最適な方法の確定に寄与する。これは、ビデオ画像の複製又は繰り返し画像のうちのいずれか１種の情報を含む。
【００３３】
該情報は以下の指示を含むべきであるが、これらに制限されない。
（ａ）ビデオデータが、フィールド走査フォーマットに対応するか、又はフレーム走査フォーマットに対応するか。
（ｂ）ビデオデータが、複製された画像、すなわち、繰り返しされる画像に対応するか。
【００３４】
ビデオ走査フォーマット情報は、１つ又は複数のフラグで示すことができる。圧縮されたビデオデータは、一般的にネットワークで伝送されるか、又は記憶される。どちらの場合も、走査フォーマットの情報は、解凍段階及び表示段階での効果的な処理を可能にする。該情報は圧縮されたビデオデータに物理的に付加されてもよい。或いは、このような情報は、仮想的に付加されてもよい。メディア伝送及びメディア記憶のコンテキストにおいて、仮想付加の一例として、該例において、走査情報は分離ファイル又はデータ構造から取得されてもよく、且つ該例において、走査情報を圧縮されたビデオデータに関連付けるためのポインタ又は類似のメカニズムが存在する。
【００３５】
メディア伝送フォーマット又はメディア記憶フォーマットにおいて走査フォーマット情報を圧縮されたビデオデータに付加することは、カプセル化と呼ばれている。本発明の実施例によって、メディア伝送の目的のための走査情報の付加はデータヘッダ又は記述子の形態であってもよく、メディア記憶の目的のための走査情報の付加はデータ構造であってもよい。
【００３６】
本発明は、前述したビデオ走査フォーマット情報の付加操作を実行するための装置を更に提供する。図２に示す実施例によって、ビデオデータにビデオ走査フォーマット情報を付加する装置は、生成されたビデオデータにビデオ走査フォーマット情報を付加するように設定される付加モジュール、及びビデオデータを記憶するか、又はネットワークでビデオデータを伝送するように設定されるメモリモジュールを備える。付加操作は、ビデオデータの圧縮の前又は後に実行されてもよい。ビデオ走査フォーマット情報を付加した後、ビデオデータは記憶されるか、又はネットワークで伝送される。
【００３７】
また、付加モジュールは、１つ又は複数のフラグでビデオ走査フォーマット情報を示すように設定される。付加モジュールは、ビデオ走査フォーマット情報を生成されたビデオデータに物理的に付加するか、又は該情報を仮想的に付加するように設定されてもよい。メディア伝送及びメディア記憶のコンテキストにおいて、一つの仮想付加の例として、ビデオ走査フォーマット情報を分離ファイル又はデータ構造に含ませ、且つポインタ又は類似のメカニズムでビデオ走査フォーマット情報をビデオデータに関連付けることが挙げられる。付加モジュールは、データヘッダ又は記述子のフォーマットでメディア伝送の目的のためのビデオ走査フォーマット情報を付加し、且つデータ構造形態でメディア記憶の目的のためのビデオ走査フォーマット情報を付加するように設定されてもよい。図３に示す実施例によると、本発明は、ビデオデータ処理システムを更に提供しており、該システムは、ビデオデータ生成装置、及び上記に定義されたビデオデータ処理装置を備える。
【００３８】
当業者は、本発明における方法及び装置がハードウェア、ソフトウェア又はファームウェアで達成できる。たとえば、それらは汎用計算手段、又は計算手段が実行可能なプログラムで達成することができ、それにより記憶メディア又は集積回路中に記憶することができる。
【００３９】
以上は、本発明の好適な実施例に過ぎず、本発明を制限するものではない。当業者にとって、本発明は各種の変更及び変形を有しうる。本発明の趣旨及び原則から逸脱しない場合、あらゆる変更、同等置換、改良等は、いずれも本発明の保護範囲内に属すべきである。
【産業上の利用可能性】
【００４０】
本発明による、メディア伝送又はメディア記憶の目的のためのビデオデータにビデオ走査フォーマット情報を付加する方法及び装置は、ビデオデータに対して効果的な圧縮、解凍及び表示を行う。本発明は、ビデオコーディング分野に適用できる。
【図１】
2015536590.tif 000003
【図２】
2015536590.tif 000004
【図３】
2015536590.tif 000005
【国際調査報告】
2015536590.tif 000006
2015536590.tif 000007